(57)【特許請求の範囲】
【請求項１】
郵便物が投函されるポストのポスト裏面に上記郵便物を取り出し得る取出口を設け、上記取出口を開閉自在にする扉を回動自在に設け、ポスト内部を照らす照明器具及び上記照明器具の点灯・消灯を操作するスイッチ部を照明装置に内装し、上記照明装置をポスト裏面に対して隣接するポスト内側面に取り付け、上記扉の開閉に連動してスイッチ部を操作する操作棒を照明装置の裏方に突出すると共に上記操作棒の先端を上記取出口に臨ませた照明装置の取付構造において、一対の突出片と底片とで平面視コ字状にブラケットを形成し、底片をポスト内側面に沿わせて装着し、一対の突出片の間に上記照明装置を配置し、上記突出片の先端に係止突部を内方に対向して設け、上記突出片が対向する照明装置の面に複数条の取付溝を上記突出片の突出方向に間隔を有して並設し、上記複数条の取付溝のうち任意の取付溝に係止突部を嵌入したことを特徴とする照明装置の取付構造。
【請求項２】
上記ブラケットの一対の突出片のそれぞれ根元部分外方に上下方向の凹溝を形成し、ポスト内側面と照明装置との間に複数個のブラケットを重ねて配置し、上記複数個のブラケットのうちポスト内側面に近接したブラケットの底片をポスト内側面に沿わせて装着し、上記複数個のブラケットのうちポスト内側面から遠い位置のブラケットに照明装置を取り付け、上記複数個のブラケットのうち隣接したブラケットの間では一方のブラケットの凹溝に他方のブラケットの係止突部を嵌入して連結したことを特徴とする請求項１に記載の照明装置の取付構造。
【請求項３】
上記スイッチ部の押釦を押圧操作する操作レバーをスイッチ部に回動自在に設け、スイッチ部の押釦の押圧方向と略直交する方向に上記操作棒を摺動自在に配設し、操作棒に押し込み部を設け、上記扉により押された操作棒の押し込み部が操作レバーに当接し、上記操作レバーが押釦を押圧したことを特徴とする請求項１及び請求項２に記載の照明装置の取付構造。
【請求項４】
照明装置の裏面に操作棒が貫通する貫通孔を設け、上記貫通孔の周縁部の少なくとも上方及び側方に亘る庇片を照明装置の裏面から取出口方向に突設したことを特徴とする請求項１乃至請求項３のいずれかに記載の照明装置の取付構造。
【請求項５】
ポスト内側面の所定位置に固着した磁石体をブラケットの底片の上部に偏って設けた磁石体受部に磁着してポスト内側面にブラケットを着脱自在に装着し、照明装置の取付溝を上部に配置した溝深さの浅い溝浅部と下部に配置した溝深さの深い溝深部とを一直線状に連続させて構成し、ブラケットの係止突部を上部に配置した突出量の小さい小突部と下部に配置した突出量の大きい大突部とを一直線状に列設させて構成し、ブラケットに照明装置を上方から下方にスライドさせて溝深部に大突部を嵌入すると共に溝浅部に小突部を嵌入して照明装置をブラケットに対して所定位置に配置したことを特徴とする請求項１に記載の照明装置の取付構造。
【発明の詳細な説明】
【０００１】
【発明の属する技術分野】
本発明は、郵便受けへの照明器具の取付構造に関する発明である。
【０００２】
【従来の技術】
従来から、図１６に示すように、郵便受け（以下ポスト）に投函された郵便物を取り出す際には、郵便物を確認し易くするためにポスト内部に照明装置３を配設したものがあった。この照明装置３はポスト１とは別体のユニットであり、ポスト内部を照らす照明器具（図示せず）と照明器具のオン・オフを操作するスイッチ部７とを有している。この照明装置３のポスト１への取り付けは、郵便物を取り出すポスト１の扉５の開閉に照明器具のオン・オフを連動させるようにポスト１の扉側にスイッチ部７を配置すると共に、ポスト内部を照らすように上記扉側の反対側に照明器具を配置するようにして行われる。このスイッチ部７は、図１７に示すように、押釦１２と操作棒８を有し、ポスト１の取出口４を閉塞した扉５が操作棒８の先端に当接して上記操作棒８が押釦１２を押圧するような構造になっている。ここで、図中２１は、操作棒８の先端が照明装置３の内方に入り込まないように操作棒８を照明装置３の外方に付勢するバネ片である。
【０００３】
【発明が解決しようとする課題】
ところで、上記のような照明装置３をポスト内部に配設する際には、ポスト１の取出口４に近接したポスト内側面１ｂに照明装置３を装着させると共に操作棒８の先端を取出口４に臨ませて行われるものであるが、ポスト１の形状には様々のものがあり、例えば、ポスト裏面１ａの取出口４周縁のフランジ部２２の幅寸法Ｈが長く形成されたポストの場合、ポスト内側面１ｂに照明装置３を装着しても操作棒８を上記取出口４に臨ませることができないといった問題があった。
【０００４】
また、上記照明装置３のスイッチ部７の構造は、上記図１３に示したように、扉５に連動する操作棒８が略直接に押釦１２を押圧するような構造であることから、例えば、扉５を勢いよく閉めた場合にはその衝撃荷重が操作棒８を介して押釦１２にそのまま作用してしまい、押釦１２及びスイッチ部７を破壊してしまうという問題があった。
【０００５】
本発明は上記の点に鑑みてなされたものであり、照明装置のスイッチ部を破損しにくい構造にすると共に、上記照明装置をポスト内の所定位置に確実に配置できるようにした照明装置の取付構造を提供することを課題とするものである。
【０００６】
【課題を解決するための手段】
上記課題を解決するために本発明の照明装置の取付構造は、郵便物が投函されるポスト１のポスト裏面１ａに上記郵便物を取り出し得る取出口４を設け、上記取出口４を開閉自在にする扉５を回動自在に設け、ポスト内部を照らす照明器具６及び上記照明器具６の点灯・消灯を操作するスイッチ部７を照明装置３に内装し、上記照明装置３をポスト裏面１ａに対して隣接するポスト内側面１ｂに取り付け、上記扉５の開閉によりスイッチ部７を操作する操作棒８を照明装置３の裏方に突出すると共に上記操作棒８の先端を上記取出口４に臨ませた照明装置の取付構造において、一対の突出片２ａと底片２ｂとで平面視コ字状にブラケット２を形成し、底片２ｂをポスト内側面１ｂに沿わせて装着し、一対の突出片２ａの間に上記照明装置３を配置し、上記突出片２ａの先端に係止突部９を内方に対向して設け、上記突出片２ａが対向する照明装置３の面に複数条の取付溝１０を上記突出片２ａの突出方向に間隔を有して並設し、上記複数条の取付溝１０のうち任意の取付溝１０に係止突部９を嵌入したことを特徴とする。このようにしたことで、ポスト内側面１ｂからポスト内部の任意位置に照明装置３を配置することができるものであり、様々な形状のポスト１にも対応して照明装置３を取出口４近傍に配置させることができるものである。
【０００７】
また、上記ブラケット２の一対の突出片２ａのそれぞれ根元部分外方に上下方向の凹溝１１を形成し、ポスト内側面１ｂと照明装置３との間に複数個のブラケット２を重ねて配置し、上記複数個のブラケット２のうちポスト内側面１ｂに近接したブラケット２を底片２ｂをポスト内側面１ｂに沿わせて装着し、上記複数個のブラケット２のうちポスト内側面１ｂから遠い位置のブラケットに照明装置３を取り付け、上記複数個のブラケット２のうち隣接したブラケット２間では一方のブラケット２の凹溝１１に他方のブラケット２の係止突部９を嵌入して連結したことも好ましい。このようにすることで、ポスト内側面１ｂから取出口４までの寸法（フランジ部の幅寸法Ｈ）が長く形成され、１個のブラケット２を用いて照明装置３をポスト内部に配置しても上記照明装置３が取出口４の近傍に位置しないようなポスト１においても、複数個のブラケット２を重ね合わせて照明装置３とポスト内側面１ｂとの間に配設することで、照明装置３を取出口４の近傍位置に確実に配置させることができる。
【０００８】
また、上記スイッチ部７の押釦１２を押圧操作する操作レバー１３をスイッチ部７に回動自在に設け、スイッチ部７の押釦１２の押圧方向と略直交する方向に上記操作棒８を摺動自在に配設し、操作棒８に押し込み部１４を設け、扉５により押された操作棒８の押し込み部１４が操作レバー１３に当接し、上記操作レバー１３が押釦１２を押圧したことも好ましい。このようにすることで、取出口４に臨ませた操作棒８は取出口４を閉塞した扉５によりポスト内方に押されて摺動し、摺動した操作棒８の押し込み部１４は操作レバー１３に当接し、上記押し込み部１４により押された操作レバー１３は押釦１２を押圧するものであるが、ここで、操作棒８が摺動する方向と操作レバー１３が押釦１２を押圧する方向とは略直交する方向に設定してあることから、操作棒８の先端に当接する扉５の衝撃荷重が直に押釦１２にかからない構造になっており、上記押釦１２への衝撃荷重の伝播を無くしてスイッチ部７ひいては照明装置３の破損を防ぐ構造にすることができるものである。
【０００９】
また、照明装置３の裏面３ｂに操作棒８が貫通する貫通孔１５を設け、上記貫通孔１５の周縁部の少なくとも上方及び側方に亘る庇片１６を照明装置３の裏面３ｂから取出口方向に突設したことも好ましい。このようにすることで、操作棒８が貫通する貫通孔１５から照明装置３内部に入る恐れのある雨水や結露水等を上記庇片１６に沿わせて滴り落とすことができるものであり、また、操作棒８を不用意に指等で押した際にも上記指等は上記庇片１６に当接し、操作棒８が照明装置３の内方に無理に押し込まれるのを防止できるものである。
【００１０】
また、ポスト内側面１ｂの所定位置に固着した磁石体２３をブラケット２の底片２ｂの上部に偏って設けた磁石体受部２４に磁着してポスト内側面１ｂにブラケット２を着脱自在に装着し、照明装置３の取付溝１０を上部に配置した溝深さの浅い溝浅部２５と下部に配置した溝深さの深い溝深部２６とを一直線状に連続させて構成し、ブラケット２の係止突部９を上部に配置した突出量の小さい小突部２７と下部に配置した突出量の大きい大突部２８とを一直線状に列設させて構成し、ブラケット２に照明装置３を上方から下方にスライドさせて溝深部２６に大突部２８を嵌入すると共に溝浅部２５に小突部２７を嵌入して照明装置３をブラケット２に対して所定位置に配置したことも好ましい。このようにすることで、照明装置３のメンテナンスや電池交換などの際に照明装置３をブラケット２ごとポスト１内から取り外し、ポスト１内にブラケット２及び照明装置３を取り付けるようなポスト使用者による照明装置３のポスト１内への再取付作業において、例えば、ポスト内側面１ｂにあらかじめ固着してある磁石体２３に装着した後のブラケット２に照明装置３を装着するような作業手順でポスト使用者が再取付作業を行った場合には、ブラケット２をその上下方向を逆にしてポスト内側面１ｂに装着して上記作業を続行してしまうことがあるが、本発明ではブラケット２及び照明装置３の上下方向を正確に合わせて作業を行わないと、大突部２８が溝深部２６に位置すると共に小突部２７が溝浅部２５に位置してブラケット２の係止突部９が照明装置３の取付溝１０に適当に嵌合されることはなく、つまり、照明装置３がブラケット２に対して所定位置に配置されることはないものであって、例えば、ブラケット２及び照明装置３の上下方向を逆にしてブラケット２の係止突部９に照明装置３の取付溝１０を嵌入させる作業を行うと、大突部２８は溝深部２６に位置できるも小突部２７は溝浅部２５に位置することはなく、つまり、ブラケット２に対して照明装置３のスライドが途中で終了してしまって照明装置３がブラケット２に対して所定位置に配置されないものであるから、このような状態に陥ったポスト使用者は上記再取付作業中に上記ブラケット２をその上下方向を逆にしてポスト内側面１に装着した誤りに容易に気付くものであり、従って、ポスト使用者に正確な再取付作業を促して照明装置３のポスト１内の特に上下方向の所定位置への装着を図り得るものである。従って、施工に関して初心者たるポスト使用者が再取付作業をした後にも照明装置３から突出した操作棒８を上下方向の所定位置に確実に配置できて、扉により押される操作棒８の押し込み量を適度なものに維持することができ、操作棒８の適当な動作を確保することができると共に、扉の過度の押し込み等による操作棒８の故障等を避けることができるものである。
【００１１】
【発明の実施の形態】
本発明は、郵便物が投函されるポスト１にポスト内部を照らす照明装置３を配設する際の照明装置の取付構造に特徴を有する発明であり、詳述すると、図１に示すように、ユニット化した照明装置３をポスト１の取出口４を開口した際にのみポスト内部を照らすようにするためにブラケット２を介してポスト１に取り付けたことに特徴を有する照明装置の取付構造の発明であり、また、この照明装置３の構造にも特徴を有する発明である。以下、先に照明装置３のポスト１への取付構造について詳述するものとし、後に照明装置３の構造について詳述するものとする。
【００１２】
ポスト１は、図３に示すように、投函された郵便物を収納する内部中空を有した箱状体で構成され、上記ポスト１内に投函された郵便物を取り出す取出口４をポスト裏面１ａに設けている。この取出口４には上下に回動する扉５（図６参照）を配設して上記取出口４を開閉自在にしている。なお、ポスト裏面１ａのうち取出口４の周縁部分をフランジ部２２というものとする。上記ポスト裏面１ａに隣接したポスト内側面１ｂには下記のブラケット２が装着される。
【００１３】
上記ブラケット２は底片２ｂの両端から同方向に一対の突出片２ａを突設させて形成されるコ字状の板状体から構成されるものである。この突出片２ａの先端には上記一対の突出片２ａの対向方向に突出した係止突部９が設けられている。このブラケット２はポスト１に平面視略コ字状になるように装着されると共に、照明装置３を取り付けるものである。つまり、ブラケット２はポスト内側面１ｂに底片２ｂを略水平にして沿わせると共に突出片２ａを対向したポスト内側面１ｂに向って略垂直に突設させて配設されるものである。本例では、上記底片２ｂとポスト内側面１ｂとの装着は両面テープ１９を用いて行われている。そして、このブラケット２を介して下記の照明装置３をポスト１の内部に取り付けるものである。
【００１４】
上記照明装置３は、ポスト１の扉５を開口させて郵便物を取り出す際にのみポスト内部を照らすものであり、ポスト内部を照らす照明器具６、上記照明器具６の点灯・消灯を切り替えるスイッチ部７、上記スイッチ部７を操作する操作棒８、及び電源電池（図示せず）等が内装されて構成されたものである（図７及び図８参照）。（照明装置３の内部構造・動作の詳細は後に詳述する。）このユニット化した照明装置は、上述したように、ブラケット２を介してポスト１に取り付けられるものであるが、詳述すると、ブラケット２の一対の突出片２ａの間に配置させるものであり、上記ブラケット２の一対の突出片２ａは照明装置３の正面３ａ及び裏面３ｂに対向配置されるものである。そして、上記照明装置３の正面３ａ及び裏面３ｂには係止突部９を嵌入させる上下方向の取付溝１０を突出片２ａの突出方向にある間隔を有して複数条凹設するものである。この取付溝１０はその下端が照明装置３の底面に臨み、その上端には係止突部９を係止する係止壁１７を設けている。そして、ポスト内側面１ｂに装着したブラケット２に上記照明装置３を取り付けるものであるが、これは、一対の突出片２ａの間の上方位置に照明装置３を配置し、その上方位置から照明装置３を下方に降ろして取付溝１０の下端から係止突部９を取付溝１０に嵌入させ、上記取付溝１０に嵌入した係止突部９を係止壁１７に引掛け係止させてブラケット２の一対の突出片２ａで照明装置３を架設して行われるものである。このとき、上記複数条の取付溝１０のうち任意の取付溝１０を選んでブラケット２の係止突部９を嵌入させると、照明装置３をポスト内部の任意位置に配置できるものである。
【００１５】
ここで、ユニット化した照明装置３において、上記のポスト１から郵便物を取り出す際にのみポスト内部を照らすといった目的を達成するためには、照明装置３を取出口４の近傍のポスト１の所定位置に照明装置３を取り付けることが必要とされる。つまり、照明器具６のオン・オフを切り替えるスイッチ部７を操作する操作棒８を扉５の回動動作に連動させるように操作棒８の先端を上記取出口４を閉塞した扉５に当接させることができる所定位置に照明装置３を取り付けることが必要とされるのである。
【００１６】
上述したように、照明装置３はポスト内側面１ｂに装着したブラケット２の係止突部９を任意の取付溝１０に嵌入させることでポスト内部の任意位置に配設できるものであることから、照明装置３を上記所定位置に配設するように取り付けることが容易に行えるものであって、これにより、例えば、図４（ａ）に示すようにポスト裏面１ａの取出口４の周縁寸法（フランジ部２２の幅寸法Ｈ）が短く形成されたポスト１に対しても、また、図４（ｂ）に示すようにポスト裏面１ａの取出口４の周縁寸法（フランジ部２２の幅寸法Ｈ）が長く形成されたポスト１に対しても、照明装置３を取出口４の近傍の所定位置に配置することができるものである。このように、本例の照明装置の取付構造においては、照明装置３の取り付け可能範囲を大きくとることができるものであり、様々な形状のポスト１に対しても上記照明装置３を上記所定位置に配設することができるものであり、施工性の向上や照明装置３の汎用性による生産ロスを減少させてコストを大幅に低減させることができるものである。また、ユニット化した照明装置３は上記ブラケット２を介して着脱自在にポスト１に取り付けられていることから、電池交換などメンテナンスの際に照明装置３そのものを取り外して行うことができるものであったり、また、たとえ照明装置３が壊れて取り替える必要が生じた際にも照明装置３のみを取り替えるだけで済むものであり、利便性がよいものである。
【００１７】
以下、照明装置３の内部構造、動作について詳述する。照明装置３は、ポストの内部を照らす照明器具６と、その照明器具６のオン・オフの切り替えを行うスイッチ部７と、スイッチ部７を操作する操作棒８を内装して構成されている（図７、図８参照）。上記スイッチ部７はマイクロスイッチで構成され、押釦１２が設けられると共に上記押釦１２を押圧する操作レバー１３が回動自在に設けられている。ここで、この操作レバー１３は必要なときにのみ押釦１２を押圧できるように押釦１２から離間する方向に付勢されるものであって、本例では、図５に示すように、操作レバー１３は一端を固定すると共に弾性変形をして他端で押釦１２を押圧する構造になっている。また、上述したようにポスト内部に照明装置３を配設した際には、照明器具６はポスト正面側に配置されると共に操作棒８はその先端を裏面３ｂに設けた貫通孔１５から照明装置３の裏方に突出させるものである。この操作棒８の基端側にはダンパー機構１８が設けられており、上記ダンパー装置１８は、照明装置３内方に押された操作棒８を押し戻して操作棒８を先端・基端方向に摺動自在にしている。また、操作棒８の中央部には操作棒８が摺動した際にスイッチ部７の操作レバー１３に当接して押さえる押し込み部１４が設けられている。本例では、スイッチ部７と操作棒８は水平方向にずれた位置で且つ、上下方向には操作棒８がスイッチ部７より上方に位置するように配置されているものであって、押し込み部１４は操作棒８から水平方向に突設され、また、スイッチ部７の操作レバー１３及び押釦１２はスイッチ部７の上方に設けられるものであって、摺動した操作棒８の押し込み部１４が操作レバー１３を下方に押さえ込み、押釦１２が押圧される構造になっているものである。
【００１８】
この照明装置３をポスト内部の所定位置に配置した際には、操作棒８の先端は取付口４に臨ませたものであることから、取付口４を閉塞した扉５は上記操作棒８の先端に当接するものである。従って、図６（ａ）に示すように、取付口４を閉塞した扉５は操作棒８を照明装置３の内方、つまり、操作棒８の基端方向に向って摺動させるものであり、そのとき、押し込み部１４はスイッチ部７の操作レバー１３に当接すると共に上記操作レバー１３は押釦１２を押圧し、照明器具６を消灯させるものである。また、取付口４を開口した扉５、つまり、扉５を回動させて取出口４を開口させた際には、上記扉５は操作棒８の先端から離れるものである。従って、図６（ｂ）に示すように、上記ダンパー装置１８によって操作棒８は照明装置３の外方、つまり、操作棒８の先端方向に向って摺動するものであり、そのとき、押し込み部１４はスイッチ部７の操作レバー１３から離れると共に上記操作レバー１３は押釦１２から離れ、照明器具６を点灯させるものである。このように、照明装置３の照明器具６はポスト１の取出口４を開口して郵便物を取り出す際にのみポスト内部を照らすことができるものである。
【００１９】
上述した照明装置３の構造は、上記扉５によって照明装置３の内方に押される操作棒８の摺動方向が、上記操作棒８の押し込み部１４と当接する操作レバー１３が押釦１２を押圧する方向と略直交する方向に設けてあることに特徴があるものである。このようにしたことから、上記照明装置３は、操作棒８の先端に当接する扉５の衝撃荷重が直に押釦１２にかからない構造になっているものであり、上記押釦１２への衝撃荷重の伝播を無くしてスイッチ部７の耐久性を構造的に向上させているものである。また、操作棒８の衝撃荷重はダンパー装置１８によって減衰される構造にもなっており、照明装置３にかかる扉５の衝撃荷重の影響を抑えると共にポスト内部に装着したブラケット２への上記衝撃荷重の影響も小さくできるものであって、照明装置３のポスト内部へ取付位置のズレ等を防止しているものである。
【００２０】
なお、図９には実施の形態の他例を示すものであり、これは、ブラケット２の突出片２ａの根元部分近傍の外方に上下方向の凹溝１１を形成し、ポスト内側面１ｂと照明装置３との間に複数個のブラケット２を重ねて配置し、上記複数個のブラケット２のうちポスト内側面１ｂに近接したブラケット２を底片２ｂをポスト内側面１ｂに沿わせて装着し、上記複数個のブラケット２のうちポスト内側面１ｂから遠い位置のブラケット２に照明装置３を取り付け、上記複数個のブラケット２のうち隣接したブラケット２の間では凹溝１１に係止突部９を嵌入して連結したものである。
【００２１】
このようにすることで、ポスト裏面１ａの取出口４の周縁寸法（フランジ部２２の幅寸法Ｈ）が長く形成されたポスト１であって、１個のブラケット２を用いて照明装置３を配置しても上記照明装置３を所定位置に配設し得ないような場合にも、複数個のブラケット２を重ね合わせて照明装置３とポスト内側面１ｂとの間に配設することで照明装置３を所定位置に容易に配置することができるものである。つまり、本例は先の実施の形態の例の作用効果を強化させるものであって、照明装置３のポスト内部への取り付け範囲を更に大きくとることができるものであり、従って様々な形状のポスト１に対しても上記照明装置３を上記所定位置に配設することができるものである。
【００２２】
なお、図１０には実施の形態の他例を示すものである。これは、ブラケット２に表示部２０を設けたものである。この表示部２０は上部に照明装置３をブラケット２から取り外す方向を表示してあり、ブラケット２に照明装置３を取り付けた際には上記表示部２０の少なくとも照明装置３をブラケット２から取り外す方向の表示を外部に露出させるものである。これによって、照明装置３のブラケット２への取付・取り外しの操作を目視して確認できるものである。
【００２３】
なお、図７及び図８には実施の形態の他例を示すものである。これは、照明装置３の裏面３ｂに操作棒８が貫通する貫通孔１５を設け、上記貫通孔１５の周縁部の少なくとも上方及び側方に亘る庇片１６を照明装置３の裏面３ｂから取出口方向に突設したものである。このようにすることで、操作棒８が貫通する貫通孔１５から照明装置３の内部に入る恐れのある雨水や結露水等を上記庇片１６に沿わせて滴り落とすことができる。従って、照明装置３の内部には雨水や結露水等が侵入することはなく、照明装置３のショート等の故障を防ぐことができるものである。また、図１１に示すように、操作棒８を不用意に指で押した際にも、上記指は上記庇片１６に当接するものであり、操作棒８が照明装置３の内方に無理に押し込まれるのを防止できるものである。つまり、操作棒８が照明装置３の内方に無理に押し込まれて照明装置３の内部に操作棒８が入り込んでしまうといった恐れを無くすことができるものである。
【００２４】
なお、図１２乃至図１５には実施の形態の更に他例を示すものである。この例においても、照明装置３をブラケット２を介してポスト内側面１ｂに装着し、上記をブラケット２に設けた係止突起９を照明装置３に複数条設けた取付溝１０のうち任意の取付溝１０に嵌入させることで、照明装置３をポスト１内の所定位置に装着できるようにしたものであり、更にこの例では、取付溝１０及び係止突起９を改良して照明装置３のポスト１内での特に上下方向の所定位置への正確な装着を図り、照明装置３から突出した操作棒８を正確に所定位置に配置して、扉からの過度の押し込みを避けて操作棒８の適当な動作を確保できるようにしたものである。以下、詳述する。
【００２５】
ブラケット２においては、先の実施の形態の例と同様に、１対の突出片２ａの先端に係止突部９が内方に対向させて形成されているが、本例の係止突部９は、図１３に示すように、一対の突出片２ａの対向方向、つまり、底片２ｂの幅方向への突出量を小さく形成した小突部２７と上記突出量を大きく形成した大突部２８とで構成し、上記小突部２７をブラケット２の上部に配置させると共に上記大突部２８をブラケット２の下部に配置させて一直線状に列設させて形成されている。なお、本例のブラケット２の底片２ｂは照明装置３と略同様の上下高さを有しており、つまり、上下方向を長手方向とした矩形板状に形成されている。また、図中２４は、ポスト内側面１ｂの磁石体２３を磁着させる部位である磁着体受部である。この磁着体受部２４は、ポスト内側面１ｂの所定位置に固着した磁石体２３を収納できるようにブラケット２の底片２ｂにポスト内側面１ｂから離れる方向に凹設されて表面に金属板を敷設して形成されたものであり、ブラケット２の底片２ｂの上部に偏って配置されている。
【００２６】
照明装置３においては、先の実施の形態の例と同様に、照明装置の正面３ａ及び裏面３ｂに対になった取付溝１０が複数条形成されているが、本例の取付溝１０は、図１４に示すように、照明装置３の内方に浅く穿って溝深さを浅くした溝浅部２５と照明装置３の内方に深く穿って溝深さを深くした溝深部２６とで構成し、上記溝浅部２５を照明装置３の上部に配置すると共に溝深部２６を照明装置３の下部に配置して一直線状に連続させて形成されている。この取付溝１０は、先の実施の形態の例と同様に、照明装置３の下端から照明装置３の中ほどまでに設けられており、つまり、取付溝１０の下端が照明装置３の底面に臨み、取付溝１０の上端が行き止まりの壁面であって係止突部９を係止する係止壁１７が設けられている。また、溝深部２６と溝浅部２５との間には段差３１が形成されている。なお、図中２９は電源電池を照明装置３内に出し入れする収納蓋であり、照明装置３の下部に配置されている。また、図中３０は、照明装置３の上部に偏って配置された磁着体受部である。
【００２７】
ここで、ブラケット２の磁着体受部２４と照明装置３の磁着体受部３０とはブラケット２に照明装置３を装着させた際には重なるように位置するものであるが、これは、本例の照明装置３はブラケット２なしでもポスト１内の上下方向の所定位置に配置できるようにしているがためであり、また、両者はいずれも上部に偏った位置に配置されているが、これは、照明装置３において下部に収納蓋２９を設けた制約があるがためである。
【００２８】
ブラケット２のポスト内側面１ｂへの装着は、ポスト内側面１ｂの所定位置に粘着両面テープ等を介して固着したマグネット板で構成した磁石体２３にブラケット２の底片２ｂの上部に偏った位置に設けた磁石体受部２４を磁着させることで行われる。つまり、ブラケット２はポスト内側面１ｂに着脱自在に装着される。なお、磁石体２３のポスト内側面１ｂへの固着に関しては、例えばポスト１が樹脂成形品であった場合には、面ファスナー等で磁石体２３をポスト内側面１ｂに固着することも好ましいものであり、また、ポスト１が金属成形品であった場合には、磁石体２３自身の磁力でポスト内側面１ｂに磁着することも好ましいものである。
【００２９】
また、照明装置３のブラケット２への装着は、取付溝１０に係止突起９を挿入させるようにブラケット２に照明装置３を上方から下方にスライドさせて行われる。（図１２中矢印Ｂ）このとき、ブラケット２及び照明装置３の上下方向を正確に合わせて上記スライド作業を行うと、大突部２８が溝深部２６に嵌入されると共に小突部２７が溝浅部２５に嵌入されてブラケット２の係止突部９が照明装置３の取付溝１０に適当に嵌合され、係止突起９の上端が取付溝１０の係止壁１７に当接して照明装置３がブラケット２に引掛け係止された状態になり、照明装置３がブラケット２に対して上下方向の所定位置に装着される。
【００３０】
このように、照明装置３のポスト１内の所定位置への装着は、あらかじめポスト内側面１ｂの上下方向の所定位置に固着した磁石体２３を基準として、上記磁石体２３に装着したブラケット２に更に照明装置３を取り付けて行われているものである。なお、照明装置３のポスト１内の所定位置への装着における当初の施工においては、必ずしも、上述したようにあらかじめポスト内側面１ｂに固着しておいた磁石体２３にブラケット２及び照明装置３を取り付ける手順で施工が行われるものではなく、例えば、照明装置３を装着したブラケット２の磁石体受部２４にあらかじめ磁石体２３を磁着させておき、この磁石体２３の磁着したブラケット２を照明装置３ごとポスト内側面１ｂに押圧し、上記磁石体２３をポスト内側面１ｂに例えば両面テープを介して固着するような手順の施工が行われる場合もある。ただし、如何なる施工をして照明装置３をポスト１内に装着しても、ポスト内側面１ｂの上下方向の所定位置に固着した磁石体２３がブラケット２及び照明装置３の上下方向の所定位置への装着の際の基準となることはいうまでもない。
【００３１】
ここで、照明装置３においては、照明器具６を電源電池で点灯させているものであって、この電源電池の交換作業やメンテナンス作業の際には照明装置３をポスト１内から取り外して行われるものである。本例の利点は、上記メンテナンス作業等を行った後に照明装置３をポスト１内に再び装着する照明装置３のポスト１内への再取付作業の際に、照明装置３をポスト１内の上下方向の所定位置に正確に配置して操作棒８を上下方向の所定位置に正確に配置できるようにしたことにある。
【００３２】
つまり、照明装置３のメンテナンスや電池交換などの際には照明装置３をポスト１内から取り外すものであり、このとき、照明装置３をブラケット２に対して上方にスライドさせずにポストの内方に照明装置３を引っ張って（図１５中矢印Ｃ）、照明装置３をブラケット２ごとポスト内側面１ｂから取り外した場合には、照明装置３のポスト１内への再取付作業はポスト１内にブラケット２及び照明装置３を再び取り付けるものであり、この再取付作業において、照明装置３をブラケット２に装着し、その後上記照明装置３が装着したブラケット２をポスト内側面１ｂにあらかじめ固着してある磁石体２３に装着するといった作業手順を踏まないで、ポスト内側面１ｂにあらかじめ固着してある磁石体２３に装着したブラケット２を装着し、その後ブラケット２に照明装置３を装着するような作業手順でポスト使用者が再取付作業を行った場合に、上述した本例の利点が現れるものである。以下、詳述する。
【００３３】
上述したように、ポスト内側面１ｂにあらかじめ固着してある磁石体２３に装着したブラケット２を装着し、その後ブラケット２に照明装置３を装着するような作業手順で照明装置３のポスト１内への再取付作業を行った場合にはブラケット２をその上下方向を逆にしてポスト内側面１ｂに装着して上記作業を続行してしまうことがある。ここで、本例では、ブラケット２及び照明装置３の上下方向を正確に合わせて作業を行わないと、大突部２８が溝深部２６に位置すると共に小突部２７が溝浅部２５に位置してブラケット２の係止突部９が照明装置３の取付溝１０に適当に嵌合されることはなく、つまり、照明装置３がブラケット２に対して上下方向の所定位置に配置されることはないものであり、例えば、ブラケット２及び照明装置３の上下方向を逆にしてブラケット２の係止突部９に照明装置３の取付溝１０を嵌入させる作業を行うと、大突部２８は溝深部２６に位置できるも小突部２７は溝浅部２５に位置することはなく、つまり、ブラケット２に対して照明装置３のスライドが途中で終了して照明装置３がブラケット２から突出したような状態になり、照明装置３がブラケット２に対して上下方向の所定位置に配置されないのである。
【００３４】
このような状態に陥ったポスト使用者は、如何に施工に関して初心者であっても、ブラケット２への照明装置３の装着感に違和感を覚えるものであり、つまり、上記再取付作業中に上記ブラケット２をその上下方向を逆にしてポスト内側面１ｂに装着した誤りに容易に気付くものである。この作業の誤りに気付いたポスト使用者はブラケット２の上下方向を正常な方向に直してポスト内側面１ｂに装着し直すものであって、従って本例においては、照明装置３のポスト１内への再取付作業においてを誤った作業を行っていたポスト使用者に、正確な再取付作業を促すことができ、照明装置３をポスト１内の特に上下方向の所定位置に装着できるものである。
【００３５】
上述したように、施工に関して初心者たるポスト使用者によって照明装置３のポスト１内への再取付作業を行った後においても、照明装置３をポスト１内の上下方向の所定位置に確実に装着できることから、照明装置３から突出した操作棒８を上下方向の所定位置に確実に配置できるものであり、従って、扉により押される操作棒８の押し込み量を適度なものに維持することができて、操作棒８の適当な動作を確保すると共に、扉の過度の押し込み等による操作棒８の故障等を回避することができるのである。
【００３６】
なお、本例の照明装置３は、ブラケット２を介さないでポスト内側面１ｂにそのまま装着することもできるようにしてある。つまり、照明装置３にも、その上部に偏って磁着体受部３０を設けていて、ポスト内側面１ｂに磁性体２３を介して装着できるようにしているからである。この磁着体受部３０は、上述したように、ブラケット２の磁着体受部２４と同様の位置に配置されていることから、ブラケット２の有る無しに関わらず、照明装置３をポスト１内の上下方向の所定位置に装着できるものである。なお、このようにブラケット２を介さないで照明装置３をポスト内側面１ｂに装着する際には、磁着体受部３０側に磁性体２３を固着しておき、磁性体２３をポスト内側面１ｂに着脱自在にして行うことも好ましいものである。
【００３７】
【発明の効果】
上記のように本発明の請求項１記載の照明装置の取付構造にあっては、郵便物が投函されるポストのポスト裏面に上記郵便物を取り出し得る取出口を設け、上記取出口を開閉自在にする扉を回動自在に設け、ポスト内部を照らす照明器具及び上記照明器具の点灯・消灯を操作するスイッチ部を照明装置に内装し、上記照明装置をポスト裏面に対して隣接するポスト内側面に取り付け、上記扉の開閉に連動してスイッチ部を操作する操作棒を照明装置の裏方に突出すると共に上記操作棒の先端を上記取出口に臨ませた照明装置の取付構造において、一対の突出片と底片とで平面視コ字状にブラケットを形成し、底片をポスト内側面に沿わせて装着し、一対の突出片の間に上記照明装置を配置し、上記突出片の先端に係止突部を内方に対向して設け、上記突出片が対向する照明装置の面に複数条の取付溝を上記突出片の突出方向に間隔を有して並設し、上記複数条の取付溝のうち任意の取付溝に係止突部を嵌入したので、照明装置のポスト内部への取り付け範囲を大きくとることができるものであり、様々な形状のポストに対しても上記照明装置を取出口近傍の所定位置に配設することができるものであり、施工性の向上や照明装置の汎用性による生産ロスを減少させてコストを大幅に低減させることができるものである。また、照明装置は上記ブラケットを介して着脱自在にポストに取り付けられていることから、電池交換などの際に照明装置そのものを取り外して行うことができるものであったり、また、たとえ照明装置が壊れて取り替える必要が生じた際にも照明装置のみを取り替えるだけで済むものであり、利便性のよいものである。
【００３８】
上記のように本発明の請求項２記載の照明装置の取付構造にあっては、請求項１の効果に加えて、上記ブラケットの一対の突出片のそれぞれ根元部分外方に上下方向の凹溝を形成し、ポスト内側面と照明装置との間に複数個のブラケットを重ねて配置し、上記複数個のブラケットのうちポスト内側面に近接したブラケットの底片をポスト内側面に沿わせて装着し、上記複数個のブラケットのうちポスト内側面から遠い位置のブラケットに照明装置を取り付け、上記複数個のブラケットのうち隣接したブラケットの間では一方のブラケットの凹溝に他方のブラケットの係止突部を嵌入して連結したので、ポスト内側面から取出口までの寸法（フランジ部の幅寸法）が長く形成され、１個のブラケットを用いて照明装置を配置しても上記照明装置が取出口の近傍に位置しないようなポストにおいても、複数個のブラケットを重ね合わせて照明装置とポスト内側面との間に配設することで、照明装置を取出口の近傍に配置することができるものであり、つまり、照明装置のポスト内部への取り付け範囲を更に大きくとることができるものであり、従って様々な形状のポストに対しても上記照明装置を上記所定位置に配設することができるものである。
【００３９】
上記のように本発明の請求項３記載の照明装置の取付構造にあっては、請求項１及び請求項２の効果に加えて、上記スイッチ部の押釦を押圧操作する操作レバーをスイッチ部に回動自在に設け、スイッチ部の押釦の押圧方向と略直交する方向に上記操作棒を摺動自在に配設し、操作棒に押し込み部を設け、上記扉により押された操作棒の押し込み部が操作レバーに当接し、上記操作レバーが押釦を押圧したので、取出口に臨ませた操作棒は取出口を閉塞した扉によって照明装置の内方に押されて摺動し、摺動した操作棒の押し込み部は操作レバーに当接し、上記押し込み部により押された操作レバーは押釦を押圧するものであるが、ここで、操作棒の摺動方向と操作レバーの押釦への押圧方向は略直交する方向に設定してあることから、操作棒の先端に当接する扉の衝撃荷重が直に押釦にかからない構造になっており、上記押釦への衝撃荷重の伝播を無くしてスイッチ部ひいては照明装置の耐久性を向上させることができるものである。
【００４０】
上記のように本発明の請求項４記載の照明装置の取付構造にあっては、請求項１乃至請求項３の効果に加えて、照明装置の裏面に操作棒が貫通する貫通孔を設け、上記貫通孔の周縁部の少なくとも上方及び側方に亘る庇片を照明装置の裏面から取出口方向に突設したので、操作棒が貫通する貫通孔から照明装置内部に入る恐れのある雨水や結露水等を上記庇片に沿わせて滴り落とすことができるものであり、従って、照明装置３のショート等の故障を防ぐことができ、また、操作棒を不用意に指で押した際にも上記指は上記庇片に当接し、操作棒が照明装置の内方に無理に押し込まれるのを防止でき、従って、操作棒が照明装置の内方に無理に押し込まれて照明装置の内部に操作棒が入り込んでしまうといった恐れを無くすことができるものである。
【００４１】
上記のように本発明の請求項５記載の照明装置の取付構造にあっては、請求項１の効果に加えて、ポスト内側面の所定位置に固着した磁石体をブラケットの底片の上部に偏って設けた磁石体受部に磁着してポスト内側面にブラケットを着脱自在に装着し、照明装置の取付溝を上部に配置した溝深さの浅い溝浅部と下部に配置した溝深さの深い溝深部とを一直線状に連続させて構成し、ブラケットの係止突部を上部に配置した突出量の小さい小突部と下部に配置した突出量の大きい大突部とを一直線状に列設させて構成し、ブラケットに照明装置を上方から下方にスライドさせて溝深部に大突部を嵌入すると共に溝浅部に小突部を嵌入して照明装置をブラケットに対して所定位置に配置したので、照明装置のメンテナンスや電池交換などの際に照明装置をブラケットごと取り外し、ポスト内にブラケット及び照明装置を取り付けるような照明装置のポスト内への再取付作業をポスト使用者が行った場合において、例えば、ポスト内側面にあらかじめ固着してある磁石体に装着した後のブラケットに照明装置を装着するような作業手順で再取付作業を行った場合には、ブラケットをその上下方向を逆にして磁石体を介してポスト内側面に装着して上記作業を続行してしまうことがあるが、本発明ではブラケット及び照明装置の上下方向を正確に合わせて作業を行わないと、大突部が溝深部に位置すると共に小突部が溝浅部に位置してブラケットの係止突部が照明装置の取付溝に適当に嵌合されることはなく、つまり、照明装置がブラケットに対して所定位置に配置されることはないものであって、例えば、ブラケット及び照明装置の上下方向を逆にしてブラケットの係止突部に照明装置の取付溝を嵌合させる作業を行っても、大突部は溝深部に位置するも小突部は溝浅部に位置することはなく、照明装置がブラケットに対して所定位置に配置されないものであり、詳述すると、ブラケットに対して照明装置のスライドが途中で終了してしまうことから、このような状態に陥ったポスト使用者は、如何に施工に関して初心者であっても、ブラケット２への照明装置の装着感に違和感を覚えるものであって上記ブラケットをその上下方向を逆にしてポスト内側面に装着した誤りに気付くものであり、従って、ポスト使用者はブラケットの上下方向を正常な方向に直してポスト内側面に装着し直すものであり、つまり、本発明においては、ポスト使用者に正確な再取付作業を促して照明装置のポスト内の特に上下方向の所定位置への装着を図り得るものである。従って、施工に関して初心者たるポスト使用者が再取付作業をした後にも照明装置から突出した操作棒を上下方向の所定位置に確実に配置できて、扉により押される操作棒の押し込み量を適度なものに維持し、操作棒の適当な動作を確保すると共に扉の過度の押し込み等による操作棒の故障等を回避することを可能としているのである。
【図面の簡単な説明】
【図１】本発明の実施の形態の例のポストに照明装置を取り付ける様子を示した斜視図である。
【図２】図１の照明装置及びブラケット部分の拡大図である。
【図３】同上のポストを示すものであり、（ａ）は裏面図であり、（ｂ）は側面断面図である。
【図４】同上の照明装置をブラケットを介してポストに取り付けた状態を示すものであり、（ａ）はフランジ部の幅寸法が短く形成されたポストに照明装置を取り付けた状態を示す下面図であり、（ｂ）はフランジ部の幅寸法が長く形成されたポストに照明装置を取り付けた状態を示す下面図である。
【図５】同上の照明装置の内部構造の一部を示す断面斜視図である。
【図６】同上の照明装置の動作を示すものであり、（ａ）は照明器具が消灯する状態の側面断面図であり、（ｂ）は照明器具が点灯する状態を示す側面断面図である。
【図７】本発明の実施の形態の他例の照明装置を示すものであり、（ａ）は正面図であり、（ｂ）は側面図であり、（ｃ）は裏面図である。
【図８】図７（ｂ）のＡ−Ａ線断面図である。
【図９】本発明の実施の形態の更に他例を示す照明装置をブラケットを介してポストに取り付けた状態の下面図である。
【図１０】本発明の実施の形態の更に他例のブラケットの斜視図である。
【図１１】図７及び図８の実施の形態の他例の動作を説明する一部側面断面図である。
【図１２】本発明の実施の形態の更に他例を示すものであり、ブラケットと照明器具との斜視図である。
【図１３】同上のブラケットを示すもので、（ａ）は正面図であり、（ｂ）は上面図であり、（ｃ）は（ａ）のＤ−Ｄ線断面図である。
【図１４】同上の照明装置を示すもので、（ａ）は正面図であり、（ｂ）は側面図である。
【図１５】同上の照明装置をポスト内に装着した状態を示すものであり、（ａ）は上面図であり、（ｂ）は正面図である。
【図１６】従来技術の例を示す斜視図である。
【図１７】同上の照明装置のスイッチ部を示す側面断面図である。
【符号の説明】
１  ポスト
１ａ  ポスト裏面
１ｂ  ポスト内側面
２  ブラケット
２ａ  突出片
２ｂ  底片
３  照明装置
３ａ  正面
３ｂ  裏面
４  取出口
５  扉
７  スイッチ部
８  操作棒
９  係止突部
１０  取付溝
１３  操作レバー
１４  押し込み部
【図１】
0004310930.tif 000002
【図２】
0004310930.tif 000003
【図３】
0004310930.tif 000004
【図４】
0004310930.tif 000005
【図５】
0004310930.tif 000006
【図６】
0004310930.tif 000007
【図７】
0004310930.tif 000008
【図８】
0004310930.tif 000009
【図９】
0004310930.tif 000010
【図１０】
0004310930.tif 000011
【図１１】
0004310930.tif 000012
【図１２】
0004310930.tif 000013
【図１３】
0004310930.tif 000014
【図１４】
0004310930.tif 000015
【図１５】
0004310930.tif 000016
【図１６】
0004310930.tif 000017
【図１７】
0004310930.tif 000018